(57)【要約】【課題】  印刷装置のステータスを携帯型電子機器の画面で印刷中に知ることができる印刷システム、印刷システムの制御方法、及び携帯型電子機器を提供する。【解決手段】  所定のステータスに遷移するとステータスの遷移をユーザに報知する報知手段を有する印刷装置と、画像データを記憶する記憶手段、印刷要求を受け付ける第一操作手段、前記第一操作手段が前記印刷要求を受け付けると前記記憶手段に記憶された画像データを前記印刷装置に印刷させる印刷制御手段、前記印刷装置が印刷中にステータス表示要求を受け付ける第二操作手段、及び、前記第一操作手段が前記印刷要求を受け付けると画面を消し、前記第二操作手段が前記ステータス表示要求を受け付けると前記印刷装置に印刷を中断させることなく前記印刷装置のステータスに応じた所定の画面を表示する表示手段を有する携帯型電子機器と、を備える。【選択図】    図１
2005199639.tif 000002
【特許請求の範囲】
【請求項１】
所定のステータスに遷移するとステータスの遷移をユーザに報知する報知手段を有する印刷装置と、
画像データを記憶する記憶手段、印刷要求を受け付ける第一操作手段、前記第一操作手段が前記印刷要求を受け付けると前記記憶手段に記憶された画像データを前記印刷装置に印刷させる印刷制御手段、前記印刷装置が印刷中にステータス表示要求を受け付ける第二操作手段、及び、前記第一操作手段が前記印刷要求を受け付けると画面を消し、前記第二操作手段が前記ステータス表示要求を受け付けると前記印刷装置に印刷を中断させることなく前記印刷装置のステータスに応じた所定の画面を表示する表示手段を有する携帯型電子機器と、
を備えることを特徴とする印刷システム。
【請求項２】
前記携帯型電子機器は、前記印刷装置が印刷中、前記印刷装置のステータスを監視する監視手段をさらに備え、
前記表示手段は、前記監視手段が前記印刷装置のステータスが緊急ステータスに遷移したことを検出すると、当該緊急ステータスに応じた画面を表示することを特徴とする請求項１に記載の印刷システム。
【請求項３】
前記表示手段は、前記印刷装置のインク残量が所定のしきい値より少ないステータスへの遷移を前記監視手段が検出しても、前記第二操作手段が前記ステータス表示要求を受け付けるまで画面を消した状態を維持することを特徴とする請求項２に記載の印刷システム。
【請求項４】
前記表示手段は、前記印刷装置のステータスを表示開始してから所定時間経過すると画面を消すことを特徴とする請求項１から３のいずれかに記載の印刷システム。
【請求項５】
印刷装置と、記憶手段と表示手段とを有し前記印刷装置を制御する携帯型電子機器とを備える印刷システムを用いた印刷方法であって、
前記携帯型電子機器において、印刷要求を受け付けるステップと、
前記携帯型電子機器において、前記印刷要求を受け付けると前記記憶手段に記憶された画像データを前記印刷装置に印刷させ前記表示手段の画面を消すステップと、
前記印刷装置において、所定のステータスに遷移するとステータスの遷移をユーザに報知するステップと、
前記携帯型電子機器において、前記印刷装置が印刷中にステータス表示要求を受け付けるステップと、
前記携帯型電子機器において、前記ステータス表示要求を受け付けると、前記印刷装置に印刷を中断させることなく前記印刷装置のステータスに応じた所定の画面を前記表示手段によって表示するステップと、
を含むことを特徴とする印刷システムの制御方法。
【請求項６】
印刷装置と通信可能に接続される携帯型電子機器であって、
画像データを記憶する記憶手段と、
印刷要求を受け付ける第一操作手段と、
前記第一操作手段が前記印刷要求を受け付けると前記記憶手段に記憶された画像データを前記印刷装置に印刷させる印刷制御手段と、
前記印刷装置が印刷中にステータス表示要求を受け付ける第二操作手段と、
前記第一操作手段が前記印刷要求を受け付けると、画面を消し、前記第二操作手段が前記ステータス表示要求を受け付けると、前記印刷装置に印刷を中断させることなく前記印刷装置のステータスに応じた所定の画面を表示する表示手段と、
を備えることを特徴とする携帯型電子機器。
【発明の詳細な説明】
【技術分野】
【０００１】
本発明は印刷システム、印刷システムの制御方法及び携帯型電子機器に関する。
【背景技術】
【０００２】
一般に、印刷装置はインク切れ、紙詰まり等のステータスを表示するインジケータを備えている。しかし、ＬＥＤ等で構成されるインジケータでは、印刷装置の多様なステータスを詳細に表示することができない。例えば、複数個のインクカートリッジがある場合、それぞれのインク残量等を正確に示すことができない。
パーソナルコンピュータ（ＰＣ）と、ＰＣから受信するデータを印刷する印刷装置を備える印刷システムでは、ＰＣのプリンタドライバによりＰＣのＬＣＤ等の画面にインク残量等の多様なステータスを詳細に表示することができる（例えば、特許文献１参照）。
【０００３】
一方、電子ビューファイダ等の表示部を有し、メニュー操作によりユーザの多様な要求を受け付けるディジタルスチルカメラ（ＤＳＣ）等の携帯型電子機器と印刷装置とを直接接続し、携帯型電子機器の制御下で印刷装置にデータを印刷させる印刷システムでは、印刷処理中に携帯型電子機器の画面を常に表示すると、当該処理によるシステムへの負荷により印刷時間が長くなり、また、表示用電力を消耗するため、一般に、印刷中は、印刷中断の要求だけをキャンセルキー等の特定のボタンで受け付けることとし、画面をオフしている。したがって、印刷中に画面をオフする携帯型電子機器の制御下で印刷する印刷システムでは、印刷装置の多様なステータスを印刷中に詳細に知ることができないという問題があった。また、このような携帯型電子機器で印刷装置のステータスを知るためには、印刷を中断させた後に携帯型電子機器の画面にステータスを表示させなければならないという問題があった。
【特許文献１】特開２００２−４６２９１号公報
【発明の開示】
【発明が解決しようとする課題】
【０００４】
本発明は、上記の問題に鑑みて創作されたものであって、印刷装置のステータスを携帯型電子機器の画面で印刷中に知ることができる印刷システム、印刷システムの制御方法、及び携帯型電子機器を提供することを目的とする。
【課題を解決するための手段】
【０００５】
上記目的を達成するため、本発明に係る印刷システムは、所定のステータスに遷移するとステータスの遷移をユーザに報知する報知手段を有する印刷装置と、画像データを記憶する記憶手段、印刷要求を受け付ける第一操作手段、前記第一操作手段が前記印刷要求を受け付けると前記記憶手段に記憶された画像データを前記印刷装置に印刷させる印刷制御手段、前記印刷装置が印刷中にステータス表示要求を受け付ける第二操作手段、及び、前記第一操作手段が前記印刷要求を受け付けると画面を消し、前記第二操作手段が前記ステータス表示要求を受け付けると前記印刷装置に印刷を中断させることなく前記印刷装置のステータスに応じた所定の画面を表示する表示手段を有する携帯型電子機器と、を備える。ユーザはステータスの遷移を印刷装置の報知手段により認知することができる。また、第二操作手段がユーザの指示によるステータス表示要求を受け付けると、印刷を中断させることなく印刷装置のステータスに応じた所定の画面を表示手段が表示するため、ステータスの遷移を認知したユーザは、ステータス表示要求をすることにより、遷移後のステータスに係る詳細情報を携帯型電子機器の画面で印刷中に確認することができる。
【０００６】
さらに本発明に係る印刷システムでは、前記携帯型電子機器は、前記印刷装置が印刷中、前記印刷装置のステータスを監視する監視手段をさらに備え、前記表示手段は、前記監視手段が前記印刷装置のステータスが緊急ステータスに遷移したことを検出すると、当該緊急ステータスに応じた画面を表示する。監視手段が印刷装置のステータスが紙詰まりの発生、インク切れ等の緊急対応を要する緊急ステータスに遷移したことを検出すると、表示手段が当該緊急ステータスに応じた画面を表示するため、ユーザによるステータス表示要求がなくても、当該緊急ステータスに応じた所定の画面を携帯型電子機器の画面に表示することができる。つまり、緊急ステータスに係る情報は、携帯型電子機器の画面に強制的に表示することにより、ユーザに認識させることができる。
【０００７】
さらに本発明に係る印刷システムでは、前記表示手段は、前記印刷装置のインク残量が所定のしきい値より少ないステータスへの遷移を前記監視手段が検出しても、前記第二操作手段が前記ステータス表示要求を受け付けるまで画面を消した状態を維持する。インク残量が所定のしきい値より少なくなっても画面を消したまま印刷を続けることができるため、インク残量が所定のしきい値よりも少なくなっていることを知りながら印刷を行う場合、印刷時間を短縮でき、また、表示用電力を低減でき、また、インク残量が所定のしきい値より少ないステータスに係る画面が印刷の度に表示されないので煩わしくない。
【０００８】
さらに本発明に係る印刷システムでは、前記表示手段は、前記印刷装置のステータスを表示開始してから所定時間経過すると画面を消す。画面表示を所定時間内に制限することにより、ステータス表示によるシステム負荷がかかる時間が短くなるため、印刷時間を短縮でき、表示用電力を削減できる。
【０００９】
上記目的を達成するため、本発明に係る印刷システムの制御方法は、印刷装置と、記憶手段と表示手段とを有し前記印刷装置を制御する携帯型電子機器とを備える印刷システムを用いた印刷方法であって、前記携帯型電子機器において、印刷要求を受け付けるステップと、前記携帯型電子機器において、前記印刷要求を受け付けると前記記憶手段に記憶された画像データを前記印刷装置に印刷させ前記表示手段の画面を消すステップと、前記印刷装置において、所定のステータスに遷移するとステータスの遷移をユーザに報知するステップと、前記携帯型電子機器において、前記印刷装置が印刷中にステータス表示要求を受け付けるステップと、前記携帯型電子機器において、前記ステータス表示要求を受け付けると、前記印刷装置に印刷を中断させることなく前記印刷装置のステータスに応じた所定の画面を前記表示手段によって表示するステップと、を含む。印刷装置がステータスの遷移を報知するため、ユーザは印刷装置のステータスの遷移を認知することができる。また、ステータスの遷移を認知したユーザは、ステータス表示要求をすることにより、遷移後のステータスに係る詳細情報を携帯型電子機器の画面で印刷中に確認することができる。
【００１０】
上記目的を達成するため、本発明に係る携帯型電子機器は、印刷装置と通信可能に接続される携帯型電子機器であって、画像データを記憶する記憶手段と、印刷要求を受け付ける第一操作手段手段、前記第一操作手段が前記印刷要求を受け付けると前記記憶手段に記憶された画像データを前記印刷装置に印刷させる印刷制御手段と、前記印刷装置が印刷中にステータス表示要求を受け付ける第二操作手段と、前記第一操作手段が前記印刷要求を受け付けると画面を消し、前記第二操作手段が前記ステータス表示要求を受け付けると前記印刷装置に印刷を中断させることなく前記印刷装置のステータスに応じた所定の画面を表示する表示手段と、を備える。第二操作手段がユーザの指示によるステータス表示要求を受け付けると、印刷を中断させることなく印刷装置のステータスに応じた所定の画面を表示手段が表示するため、ステータスの遷移を認知したユーザは、ステータス表示要求をすることにより、遷移後のステータスに係る詳細情報を携帯型電子機器の画面で印刷中に確認することができる。
【発明を実施するための最良の形態】
【００１１】
以下、本発明の実施の形態を一実施例に基づいて説明する。
（実施例）
図２は本発明の一実施例による印刷システム１を示す模式図である。図３は本発明の一実施例による印刷システム１を示すブロック図である。
本発明の一実施例による印刷システム１は、請求項に記載の携帯用電子機器としてのＤＳＣ２と印刷装置としてのプリンタ４とを備え、ＤＳＣ２で記録した画像データをＵＳＢケーブル６で接続されているプリンタ４で印刷するシステムである。ＤＳＣ２とプリンタ４はインタフェース部３２及び５０を介してＵＳＢケーブル６で通信可能に接続されている。
尚、印刷システム１を構成する携帯型電子機器は、カメラ機能付きの携帯電話、電子アルバム装置等でもよい。また、通信ケーブルは、シリアルケーブル等、他の規格のケーブルでもよい。
【００１２】
ＤＳＣ２は、制御部２０、撮像部２４、記憶部２６、表示部２８、操作部３０、及びインタフェース部３２を備える。
制御部２０はＣＰＵ２１、メモリ２２等を有する。ＣＰＵ２１はメモリ２２に格納されたプログラムを実行して各部を制御する。
撮像部２４は、図示しない光学系、イメージセンサ、Ａ／Ｄ変換器、画像処理用ＤＳＰ等を有し、被写体の光学像から画像データを生成する。
【００１３】
記憶部２６は、リムーバブルメモリ用のソケット等を有し、撮像部２４により生成された画像データ等を不揮発性の記憶媒体に記憶する。尚、記憶部２６は、内蔵フラッシュメモリ、ＨＤＤ等の脱着不能な不揮発性記憶媒体を有してもよい。
表示部２８は電子ビューファインダ及びメニュー表示装置として機能するＬＣＤ８を有する。ＬＣＤ８は、図示しないバックライト等を有する。
操作部３０は、シャッターボタン１０、印刷ボタン１２、メニューボタン１４、十字ボタン１６等を有し、各ボタンの操作に応じた信号を出力する。
【００１４】
プリンタ４は、制御部４０、給紙駆動部４４、印刷ヘッド駆動部４６、ステータスレジスタ４８、及びインタフェース部５０を備える。
制御部４０はＣＰＵ４１、メモリ４２等を有する。ＣＰＵ４１はプリンタ４の各部を制御する。
給紙駆動部４４は用紙搬送用ローラ６０を駆動する。印刷用紙６２は、用紙搬送用ローラ６０の回転により、印刷ヘッド６６の往復移動方向と垂直な矢印Ｘの方向に搬送される。
【００１５】
印刷ヘッド駆動部４６は印刷ヘッド６６を往復移動させるための図示しないモータ、印刷ヘッド６６のインク吐出部７０からインクを吐出させるための圧電素子等を駆動する。印刷ヘッド駆動部４６は、印刷ヘッド６６を往復移動させながら、印刷ヘッド６６に搭載されるインクカートリッジ６８から供給されるインクをインク吐出部７０から噴射させ、印刷用紙６２に画像を形成する。尚、印刷方式は、インクジェット方式、レーザー方式等、どのような印刷方式であってもよい。
ステータスレジスタ４８には、プリンタ４の各種ステータスに対応する値が格納される。ＬＥＤ１８は、ステータスレジスタ４８に格納されている値に応じて点滅又は点灯する。
【００１６】
図４は本発明の一実施例による印刷システム１の機能ブロック図である。
プリンタ４の報知手段９０は、制御部４０、ＬＥＤ１８等で構成され、ステータスレジスタ４８に格納されている値を定期的に読み出し、読み出した値に基づいてプリンタ４のステータスを判断し、所定のステータスへの遷移を検出するとＬＥＤ１８を点滅又は点灯させ、ユーザにプリンタ４が所定のステータスに遷移したことを報知する。
尚、ステータスの遷移に応じて割込み信号を出力する回路をプリンタ４に設け、当該割込み信号に基づいてステータスレジスタ４８に格納されている値を読み出すようにしてもよい。
【００１７】
ＤＳＣ２の記憶手段８０は、制御部２０、記憶部２６等で構成され、ＤＳＣ２の撮像部２４により生成された画像データを記憶部２６の不揮発性記憶媒体に格納する。
ＤＳＣ２の第一操作手段８１は、制御部２０、操作部３０等で構成され、印刷ボタン１２を押す操作を印刷要求として受け付ける。
ＤＳＣ２の第二操作手段８２は、制御部２０、操作部３０等で構成され、印刷中に印刷ボタン１２、メニューボタン１４、十字ボタン１６のいずれかのボタンを押す操作をステータス表示要求として受け付ける。
尚、ステータス表示要求は、その他のボタンを押す操作によって受け付けてもよい。
【００１８】
ＤＳＣ２の印刷制御手段８４は、制御部２０、インタフェース部３２等で構成され、印刷要求が受け付けられると、記憶手段８０に記憶されている所定の画像データを複数のバンドに分割し、バンド毎に画像データを印刷データに変換し、プリンタ４に印刷データを逐次送信する。
尚、印刷制御手段８４は、プリンタ４に印刷コマンドとともに画像データを送信し、プリンタ４の制御部４０に画像データを印刷データに変換させてもよい。
【００１９】
ＤＳＣ２の監視手段８６は、制御部２０、インタフェース部３２等で構成され、印刷中のプリンタ４の制御部４０にステータスを定期的に問合せ、プリンタ４の制御部４０からインタフェース部３２及び５０を介して送信されるステータス回答を受信することにより、プリンタ４のステータスを監視する。
【００２０】
ＤＳＣ２の表示手段８８は、制御部２０、表示部２８等で構成される。制御部２０のＣＰＵ２１は、印刷要求が受け付けられると、ＬＣＤ８のバックライトの電源をオフするとともに表示用データをメモリ２２から読み出してＬＣＤ８に転送する処理を停止してＬＣＤ８の画面を消す。ＬＣＤ８に画像を表示するためには、例えばメモリ２２等に割り当てられた表示用メモリ領域からＬＣＤ８に定期的に（例えば３０分の１秒毎に）表示用データを転送する処理が必要である。ＬＣＤ８の画面を消すと、このように定期的に発生する転送処理を行うための割り込みがなくなるため、ＣＰＵ２１の処理時間を、印刷処理により多く割り当てることができる。その結果、印刷時間を短縮することができる。また、ＤＳＣ２の表示手段８８は、ステータス表示要求が受け付けられると、印刷を中断させることなくプリンタ４のステータスに応じた画面をＬＣＤ８に表示する。
【００２１】
図１は、ＤＳＣ２の制御下で画像データを印刷している期間中にインク残量が所定のしきい値以下になる場合の処理の流れを示すシーケンス図である。また、図５は、当該処理におけるＤＳＣ２の画面遷移図である。以下、インク残量が所定のしきい値以下のプリンタ４のステータスをインクローというものとする。
【００２２】
図５に示すように、ＤＳＣ２の記憶部２６に格納されている任意の画像データを全画面表示した画面１５０において、印刷ボタン１２が押されると、ＬＣＤ８に全画面表示されている画像データに関連する処理項目を選択できる画面１５１が表示される。画面１５１において、十字ボタン１６の操作により「この画面を印刷」が選択され印刷ボタン１２が押されることによって、印刷要求が受け付けられる。
【００２３】
第一操作手段８１が印刷要求を受け付けると、印刷制御手段８４はプリンタ４に印刷要求を送信する（Ｓ１００）。このときＬＣＤ８には、印刷中はＬＣＤ８の電源がオフされる旨、及び任意のボタンを押すことでＬＣＤ８の電源がオンされる旨をユーザに伝える画面１５２が表示され、その後、表示手段８８はＬＣＤ８の画面を消す（Ｓ１０２、図５の画面１５３参照）。
プリンタ４で印刷データの受信準備が整うと、印刷制御手段８４による印刷データの送信が開始され（Ｓ１０４）、プリンタ４では印刷が開始される（Ｓ１０６）。印刷が開始されると、監視手段８６は定期的にプリンタ４のステータスを問合せ（Ｓ１０８）、プリンタ４は監視手段８６のステータスの問合せに応じてステータスを回答する（Ｓ１１０）。
【００２４】
ここで、印刷中にインクローが発生し（Ｓ１１２）、報知手段９０がインクローへの遷移を検出すると、報知手段９０はプリンタ４のＬＥＤ１８を点滅させる。ユーザは、ＬＥＤ１８の点滅により、プリンタ４のステータスが遷移したことを認知することができる。しかし、ＬＥＤ１８の点滅だけでは、どのようなステータスに遷移したのか、また、どのような処置が必要なのかをユーザに正確に認知させることは難しい。
【００２５】
ＤＳＣ２では、インクロー発生後のステータスの問合せ（Ｓ１１６）に対するプリンタ４のステータス回答（Ｓ１１８）により、プリンタ４のステータスがインクローに遷移したことを監視手段８６が検出する。
ＤＳＣ２の表示手段８８は、監視手段８６がインクローへの遷移を検出しただけではＬＣＤ８に画面を表示しない。そのため、そのまま印刷を続けることにより、印刷時間を短縮でき、また、表示用電力を低減でき、また、インクローを示す画面が表示されないので煩わしくない。
【００２６】
ＬＥＤ１８の点滅によりプリンタ４のステータスが遷移したことを認知したユーザが、印刷ボタン１２、メニューボタン１４、十字ボタン１６のいずれかのボタンを押すと、第二操作手段８２によってステータス表示要求が受け付けられる（Ｓ１２０）。すると、表示手段８８はＬＣＤ８にインクローを示す画面を表示する（Ｓ１２２）。ユーザは、インクローを示す画面を参照することにより、インクの残量が少なくなっている状態を確認することができる。例えばインクカートリッジ６８毎にインク残量を示す画面１５４を表示すれば、ユーザは交換の準備が必要なインクカートリッジ６８がどれであるかを確認することができる。また、このとき、残量が少ないインクカートリッジ６８のインク色と、印刷中の画像データが表す画像の色味に応じて、そのまま印刷を続行すべきか、印刷を中断すべきかを判断することができる。
【００２７】
インク残量を示す画面１５４の表示開始から所定時間が経過するまでにメニューボタン１４が押されないと（Ｓ１２４）、表示手段８８はＬＣＤ８の画面を消す（Ｓ１２６、図５の画面１５５参照）。インク残量を示す画面１５４の表示を所定時間内に制限することにより、印刷時間を短縮でき、表示用電力を削減できる。
インク残量を示す画面１５４の表示開始から所定時間が経過するまでにメニューボタン１４が押されると、印刷制御手段８４は印刷を中断する。印刷を中断することにより、ユーザは残量が少ないインクカートリッジ６８を交換することができる。
【００２８】
印刷制御手段８４が画像データの印刷データを全てプリンタ４に送信すると（Ｓ１２８）、表示手段８８は、ＤＳＣ２の記憶部２６に格納されている任意の画像データを全画面表示した画面１５０をＬＣＤ８に再表示する。
プリンタ４は印刷制御手段８４により送信された全ての印刷データに対応する画像を形成すると印刷を終了する（Ｓ１３２）。
【００２９】
図６は、ＤＳＣ２の制御下で画像データを印刷中にインク残量がなくなる場合の処理の流れを示すシーケンス図である。また、図７は、当該処理におけるＤＳＣ２の画面遷移図である。以下、インク残量が全くないプリンタ４のステータスをインクエンドというものとする。
【００３０】
プリンタ４でインクエンドが発生し（Ｓ２１２）、報知手段９０がインクエンドへの遷移を検出すると、報知手段９０はプリンタ４のＬＥＤ１８を点灯させ（Ｓ２１３）、印刷は中断する（Ｓ２１４）。ユーザは、ＬＥＤ１８の点灯によりステータスの遷移を認知できる。しかし、ＬＥＤ１８の点灯だけでは、どのようなステータスに遷移したのか、また、どのような処置が必要なのかをユーザに正確に認知させることは難しい。
ＤＳＣ２では、インクロー発生後のステータスの問合せ（Ｓ１１６）に対するプリンタ４のステータス回答（Ｓ１１８）により、プリンタ４のステータスがインクエンドに遷移したことを監視手段８６が検出する。
【００３１】
表示手段８８は、監視手段８６によりインクエンドへの遷移が検出されると、ＬＣＤ８にインクエンドを示す画面を表示する（Ｓ２２０）。ＬＣＤ８にインクエンドを示す画面を強制的に表示することにより、ユーザに対してインクエンドを確実に認識させることができる。例えば、交換が必要なインクカートリッジ６８を示す画面２５４を表示すれば、ユーザに対して交換が必要なインクカートリッジ６８がどれであるかを確実に認識させることができる。
【００３２】
ユーザがインクカートリッジ６８を交換し（Ｓ２２２）、ＤＳＣ２のメニューボタン１４を押すと、印刷再開要求がプリンタ４に送信される（Ｓ２２３）。プリンタ４のステータスはインク残量が十分なステータスに遷移しているため、印刷再開要求を受信したプリンタ４は印刷を再開する（Ｓ２２４）。また、ＤＳＣ２では、印刷制御手段８４による印刷データの送信が再開されると、表示手段８８はＬＣＤ８の画面を消す（Ｓ２２６）。
【００３３】
印刷制御手段８４は画像データの印刷データを全てプリンタ４に送信すると（Ｓ２２８）、表示手段８８はＤＳＣ２の記憶部２６に格納されている任意の画像データを全画面表示した画面１５０をＬＣＤ８に再表示する（Ｓ２３０）。
プリンタ４は印刷制御手段８４により送信された全ての印刷データに対応する画像を形成すると印刷を終了する（Ｓ２３２）。
【００３４】
尚、インクローとインクエンドが発生した場合の処理について説明したが、ＬＣＤ８にステータスを示す画面が強制表示されずに、ユーザの要求に応じてＬＣＤ８に画面表示されるステータスとしては、印刷用紙の残りが少ないステータス、バッテリ駆動のプリンタ４においてバッテリ残量が少ないステータス等のユーザがすぐに対応しなくても印刷を継続できるステータスが妥当である。また、印刷を中断して強制的にＬＣＤ８に画面表示される緊急ステータスとしては、用紙切れ、紙詰まり等のユーザがすぐに対応しないと印刷を継続できないステータスが妥当である。
【００３５】
以上説明した本発明の一実施例に係る印刷システム１によると、報知手段９０がインクロー、インクエンド等のステータスへの遷移を検出するとＬＥＤ１８を点滅又は点灯させるため、ユーザはステータスが遷移したことを認知することができる。
また、印刷システム１によると、インクロー等のユーザがすぐに対応しなくても印刷を継続できるステータスが発生しても、印刷ボタン１２、メニューボタン１４、十字ボタン１６のいずれかのボタンを押さなければ、ＬＣＤ８にステータス示す画面１５４を表示しないため、ＬＣＤ８の画面を消したままで印刷を続けることができる。従って、ユーザの意思に応じて、印刷時間を短縮でき、また、表示用電力を低減できる。
【００３６】
また、印刷システム１によると、印刷を中断させることなく第二操作手段８２がステータス表示要求を受け付けることができ、ステータスの確認のために印刷を中断する必要がないため、印刷時間を短縮できる。また、ステータスの確認のために印刷を中断しなくてもよく、印刷を再度やり直す必要がないため、印刷途中の用紙を無駄にすることがない。
また、印刷システム１によると、ステータス表示要求に応じてＬＣＤ８に当該ステータスを示す画面を表示することにより、印刷中に当該ステータスをユーザに認識させることができる。
【００３７】
さらに、印刷システム１によると、インクエンド等のユーザがすぐに対応しないと印刷を継続できない緊急ステータスが発生した場合、表示手段８８がＬＣＤ８に当該ステータス示す画面を表示するため、ユーザが印刷ボタン１２、メニューボタン１４、十字ボタン１６のいずれかのボタンを押さなくても、即座にユーザに当該ステータスを認識させ、対応処置を促すことができる。
【００３８】
さらに、印刷システム１によると、印刷中にインク残量を示す画面１５４等の画面をＬＣＤ８に表示しても、当該画面の表示開始から所定時間経過すると、表示手段８８はＬＣＤ８の画面を消すため、印刷時間を短縮でき、表示用電力を削減できる。
【００３９】
尚、監視手段８６は、印刷中のプリンタ４の制御部４０にステータスを定期的に問合わせることによりプリンタ４のステータスを監視しなくても、第二操作手段８２がユーザによるステータスの表示要求を受け付けてからプリンタ４にステータスを問合わせてもよい。
また、プリンタ４のステータスが所定のステータスへの遷移するとＤＳＣ２にプリンタ４のステータスが当該ステータスに遷移したことを通報する手段をプリンタ４に備えて、監視手段８６は、当該通報を受信してからプリンタ４にステータスを問合わせることにより、プリンタ４のステータスを検出してもよい。
【００４０】
また、印刷を継続できないステータスでなくても、例えばインクローに遷移したときであっても、印刷を中断することなくＬＣＤ８に当該ステータスを示す画面をいったん強制的に表示し、所定時間経過後にＬＣＤ８の画面を消し、画面が消されている期間中は、ユーザのステータス表示要求を受付可能な状態で印刷を続行し、ステータス表示要求を受け付けた場合には印刷を中断することなくＬＣＤ８に当該ステータスを示す画面を表示してもよい。
【図面の簡単な説明】
【００４１】
【図１】本発明の一実施例に係る印刷システムのシーケンス図である。
【図２】本発明の一実施例に係る印刷システムの模式図である。
【図３】本発明の一実施例に係る印刷システムのブロック図である。
【図４】本発明の一実施例に係る印刷システムの機能ブロック図である。
【図５】本発明の一実施例に係る印刷システムの画面遷移図である。
【図６】本発明の一実施例に係るシーケンス図である。
【図７】本発明の一実施例に係る印刷システムの画面遷移図である。
【符号の説明】
【００４２】
１  印刷システム、２  ディジタルスチルカメラ（携帯型電子機器）、４  プリンタ（印刷装置）、８０  記憶手段、８１  第一操作手段、８２  第二操作手段、８４  印刷制御手段、８６  監視手段、８８  表示手段、９０  報知手段
【図１】
2005199639.tif 000003
【図２】
2005199639.tif 000004
【図３】
2005199639.tif 000005
【図４】
2005199639.tif 000006
【図５】
2005199639.tif 000007
【図６】
2005199639.tif 000008
【図７】
2005199639.tif 000009